(57)【特許請求の範囲】
【請求項１】
記録情報を記録可能な第１記録層と第２記録層とを備えており、
前記第１記録層及び前記第２記録層の少なくとも一方は、前記第１記録層の一部の記録領域と当該一部の記録領域に対向する位置にある前記第２記録層の記録領域とを夫々含む記録ゾーン内を固定長サイズの記録区画とする、前記第１記録層から前記第２記録層へのレイヤジャンプの間隔を示すサイズ情報が記録されたサイズエリアを備え、
前記記録ゾーンは、複数設けられており、
前記複数の記録ゾーンの夫々は、複数の記録区画を備えることを特徴とする情報記録媒体。
【請求項２】
前記記録情報の記録単位はＥＣＣブロックの単位であることを特徴とする請求項１に記載の情報記録媒体。
【請求項３】
前記第１記録層及び前記第２記録層の少なくとも一方は、前記記録ゾーンの位置を特定する特定情報を記録するための特定情報記録エリアを備えることを特徴とする請求項１に記載の情報記録媒体。
【請求項４】
前記サイズエリアは、前記記録情報の記録を管理するための記録管理情報が記録される記録管理エリアに含まれることを特徴とする請求項１に記載の情報記録媒体。
【請求項５】
記録情報を記録可能な第１記録層と第２記録層とを備える情報記録媒体に前記記録情報を記録する記録手段と、
前記第１記録層及び前記第２記録層の少なくとも一方に、前記第１記録層の一部の記録領域と当該一部の記録領域に対向する位置にある前記第２記録層の記録領域とを夫々含む記録ゾーン内を固定長サイズの記録区画とする、前記第１記録層から前記第２記録層へのレイヤジャンプの間隔を示すサイズ情報を前記記録情報として記録するように前記記録手段を制御する第１制御手段と、
前記記録ゾーンを複数設け且つ前記複数の記録ゾーンの夫々が複数の記録区画を備える態様で前記記録情報を記録するように前記記録手段を制御する第２制御手段と
を備えることを特徴とする情報記録装置。
【請求項６】
前記記録手段は、ＥＣＣブロックの単位で前記記録情報を記録することを特徴とする請求項５に記載の情報記録装置。
【請求項７】
前記記録ゾーンの位置を特定する特定情報を前記記録情報として記録するように前記記録手段を制御する第２制御手段を更に備えることを特徴とする請求項５に記載の情報記録装置。
【請求項８】
前記第１制御手段は、前記サイズ情報を前記記録情報の記録を管理するための記録管理情報が記録される記録管理エリアに記録するように前記記録手段を制御することを特徴とする請求項５に記載の情報記録装置。
【請求項９】
前記サイズ情報に基づいて、前記記録情報の記録及び再生の少なくとも一方を制御するための制御情報を作成する作成手段を更に備えることを特徴とする請求項５に記載の情報記録装置。
【請求項１０】
記録情報を記録可能な第１記録層と第２記録層とを備える情報記録媒体に前記記録情報を記録する記録工程と、
前記第１記録層及び前記第２記録層の少なくとも一方に、前記第１記録層の一部の記録領域と当該一部の記録領域に対向する位置にある前記第２記録層の記録領域とを夫々含む記録ゾーン内を固定長サイズの記録区画とする、前記第１記録層から前記第２記録層へのレイヤジャンプの間隔を示すサイズ情報を前記記録情報として記録するように前記記録工程を制御する第１制御工程と、
前記記録ゾーンを複数設け且つ前記複数の記録ゾーンの夫々が複数の記録区画を備える態様で前記記録情報を記録するように前記記録工程を制御する第２制御工程と
を備えることを特徴とする情報記録方法。
【請求項１１】
請求項５に記載の情報記録装置に備えられたコンピュータを制御する記録制御用のコンピュータプログラムであって、該コンピュータを、前記第１制御手段及び前記第２制御手段として機能させることを特徴とするコンピュータプログラム。
【発明の詳細な説明】
【技術分野】
【０００１】
本発明は、例えばＤＶＤ等の情報記録媒体、ＤＶＤレコーダ等の情報記録装置及び方法、並びにコンピュータをこのような情報記録再生装置として機能させるためのコンピュータプログラムの技術分野に関する。
【背景技術】
【０００２】
例えば、ＣＤ−ＲＯＭ（Compact Disc−Read Only Memory）、ＣＤ−Ｒ（Compact Disc−Recordable）、ＤＶＤ−ＲＯＭなどの光ディスク等の情報記録媒体では、同一基板上に複数の記録層が積層されてなる多層型若しくはダブルレイヤ又はマルチプルレイヤ型の光ディスク等も開発されている。より具体的には、二層型の光ディスクは、一層目として、情報記録装置で記録される際のレーザ光の照射側から見て最も手前側（即ち、光ピックアップに近い側）に位置する第１記録層（本願では適宜「Ｌ０層」と称する）を有しており、更にその奥側（即ち、光ピックアップから遠い側）に位置する半透過反射膜を有する。二層目として、該半透過反射膜の奥側に接着層等の中間層を介して位置する第２記録層（本願では適宜「Ｌ１層」と称する）を有しており、更にその奥側に位置する反射膜を有する。そして、このような多層型の情報記録媒体を作成する際には、Ｌ０層とＬ１層とを別々に形成し、最後に夫々の層を貼り合わせることで、低コストに二層型の光ディスクを製造することができる。【０００３】
そして、このような二層型の光ディスクを記録する、ＣＤレコーダ等の情報記録装置では、Ｌ０層に対して記録用のレーザ光を集光（或いは、照射）することで、Ｌ０層に対して情報を加熱などによる非可逆変化記録加熱などによる非可逆変化記録方式や書換え可能方式で記録し、Ｌ１層に対して該レーザ光を集光することで、Ｌ１層に対して情報を加熱などによる非可逆変化記録加熱などによる非可逆変化記録方式や書換え可能方式で記録することになる。【０００４】
【特許文献１】特開２００２−３５２４６９号公報
【発明の開示】
【発明が解決しようとする課題】
【０００５】
このような二層型の光ディスクにおいては、概して先ずＬ０層にデータを記録し、Ｌ０層の全体にデータが記録された後に続けてＬ１層へデータを記録する。従って、Ｌ０層の全体にはデータが記録されていながら、一方でＬ１層にはその一部にしかデータが記録されていない状態が生ずる。このような状態で、例えば既存のＣＤ−ＲＯＭプレーヤ等において、当該光ディスクの再生を可能とするためのファイナライズ処理を行うと、データが記録されていないＬ１層においてダミーデータを記録する必要がある。このため、実際に記録されたデータのサイズと比較してファイナライズ処理に要する時間が多いという技術的な問題点を有している。【０００６】
このため、Ｌ０層とＬ１層とを交互に（或いは、夫々に記録される記録情報が略均一となるように）記録する記録手法が考えられる。しかしながら、係る記録手法を採用すると、記録動作中において、記録の対象をＬ０層からＬ１層へ或いはＬ１層からＬ０層へ切り替えるポイント（即ち、レイヤジャンプポイント）を記憶しておく必要がある。特に、ファイナライズを未だ行っていない場合には、レイヤジャンプポイントをディスクドライブや該ディスクドライブを用いてデータの記録を行うホストコンピュータ等が記憶する必要がある。レイヤジャンプポイントを記憶しておかなければ、記録されたデータを読み取ることが困難或いは不可能であるという問題点が生ずる。【０００７】
このため、例えばディスクドライブがレイヤジャンプポイントを記憶する場合には、データを記録する毎に、データの記録を管理するための記録管理情報を書き換える必要がある。しかしながら、記録管理情報は、その記録エリアのサイズの制約から、例えば光ディスクの一具体例たるＤＶＤ等においては、概ね数百回程度しか書き換えができない。係る回数を超えて記録管理情報を記録することはできず、レイヤジャンプが頻繁に行なわれれば、結果として記録情報の記録を継続することができなくなるという技術的な問題点を有している。【０００８】
他方、ホストコンピュータがレイヤジャンプポイントを記憶する場合には、概してホストコンピュータが有するメモリ上においてレイヤジャンプポイントを記憶する。しかしながら、光ディスクをイジェクトしてしまえば、メモリ上に記憶されたレイヤジャンプポイントも消去されてしまうため、結果としてその光ディスクに対してデータを記録したり或いはその光ディスクに記録されたデータを再生することができなくなるという技術的な問題点を有している。【０００９】
本発明は、例えば上述した従来の問題点に鑑みなされたものであり、例えば複数の記録層を有する情報記録媒体において、好適に記録情報の記録を行うことを可能とならしめる情報記録媒体、情報記録装置及び方法、並びにコンピュータをこのような情報記録装置として機能させるコンピュータプログラムを提供することを課題とする。
【課題を解決するための手段】
【００１０】
（情報記録媒体）
本発明の情報記録媒体は上記課題を解決するために、記録情報を記録可能な第１記録層と第２記録層とを備えており、前記第１記録層のうち第１サイズの記録領域と該第１記録層の第１サイズの記録領域と対向する位置にある前記第２記録層の記録領域とを夫々含むと共に前記記録情報が記録される単位である第１ブロックエリアを複数含んでなり、前記第１記録層及び前記第２記録層の少なくとも一方は、前記第１サイズを示す第１サイズ情報を記録するためのサイズエリアを備える。【００１１】
本発明の情報記録媒体によれば、第１記録層及び第２記録層の夫々において記録情報を記録することが可能である。係る複数の記録層は、例えば基板の一方の面上に積層構造に形成されている。【００１２】
本発明では特に、記録情報は、第１サイズを有する第１記録層の一部の記録領域と第２記録層の一部の記録領域とを含んでなる第１ブロックエリアに記録される。特に、第１記録層の一部の記録領域と第２記録層の一部の記録領域とは対向する。ここに、本発明における「対向する」とは、文字通り第１記録層の一部の記録領域と第２記録層の一部の記録領域とが向き合っている状態を示しており、より具体的には、第１記録層の一部と第２記録層の一部とが厳密に対応している、即ち同一位置関係のアドレスを有している場合の他、概ね同一程度のアドレスを有していると同視できる場合、更には後述の如く偏心等も考慮した第１記録層の一部と第２記録層の一部との関係をも含む広い趣旨である。そして、この第１ブロックエリアは、当該情報記録媒体中に複数含まれている。即ち、記録情報は第１ブロックエリアの単位毎に記録される。そして、一旦終了した記録動作に続いて、更に記録情報を追記する場合には、新たな第１ブロックエリアに記録情報を記録していく。このように第１ブロックエリア毎に記録情報が記録されるため、第１記録層及び第２記録層のいずれか一方に偏って記録情報が記録されることがあまり或いは殆どなくなる。このため、第１記録層の全体に記録情報を記録した後に第２記録層に記録情報を記録する情報記録媒体と比較して、ファイナライズ処理の際にダミーデータを記録する必要のある領域の大きさを減少させ或いはなくすことが可能となる。【００１３】
更に、この第１サイズは、第１サイズ情報として情報記録媒体上のサイズエリアに記録される。従って、記録の対象となる記録層が切り替わる地点を後述する情報記録装置自体が記憶していなくとも、複数の第１ブロックエリアを比較的容易に認識することができる。即ち、第１ブロックエリアの切り替わりの単位や記録の対象となる記録層が切り替わる地点を好適に認識することができる。そして、各第１ブロックエリアを構成する第１記録層の一部の記録領域のサイズが同一或いは略同一であるがゆえに、一度第１サイズ情報をサイズエリアに記録すれば足りる。即ち、記録の対象となる記録層が切り替わる毎に第１サイズ情報を記録する必要もなく、第１サイズ情報を記録可能な記録領域がなくなってしまうという不都合も生じない。このため、記録動作を好適に継続して行うことができる。そして、ファイナライズ処理を行う前に情報記録媒体を情報記録装置からイジェクトしたとしても、サイズエリアに記録されている第１サイズ情報を参照すれば、記録情報が各記録層に交互に記録されていても、情報記録媒体上の構造（特に、複数の第１ブロックエリアの構造）を好適に認識することができる。従って、認識される構造に基づき、好適に記録動作を継続することができる。【００１４】
以上の結果、本発明の情報記録媒体によれば、ファイナライズ処理に要する時間を短縮させることができると共に、各記録層へ記録情報を記録したとしても、記録情報がどのような形で記録されているかの構造を好適に認識することができる。このため、好適に記録情報の記録を行うことができる。【００１５】
本発明の情報記録媒体の一の態様は、前記第１記録層の前記第１サイズの記録領域と対向する位置にある前記第２記録層の記録領域は略第１サイズである。【００１６】
この態様によれば、第１ブロックエリアを構成する第２記録層の一部の記録領域のサイズが、第１サイズと同一或いは概ね同一となる。即ち、第１ブロックエリアを構成する第１記録層の一部の記録領域及び第２記録層の一部の記録領域の夫々のサイズが同一或いは略同一となる。従って、第１記録層に記録される記録情報と第２記録層に記録される記録情報との夫々の大きさ（サイズ）を概ね均等にすることが可能となる。このため、ファイナライズ処理の際にダミーデータを記録する必要のある領域の大きさを減少させ或いはなくすことが可能となる。【００１７】
本発明の情報記録媒体の他の態様は、前記第１記録層のうち前記第１サイズと異なる第２サイズの記録領域と該第１記録層の第２サイズの記録領域と対向する位置にある前記第２記録層の記録領域とを夫々含むと共に前記記録情報が記録される単位である第２ブロックエリアを複数含んでなる。【００１８】
この態様によれば、情報記録媒体の全体に渡って、全て同一のサイズを有する第１ブロックエリアに記録情報を記録しなくとも、第１ブロックエリアを構成する第１記録層の一部の記録領域のサイズである第１サイズと異なる第２サイズを有する記録領域により構成される第２ブロックエリアに記録情報を記録することができる。従って、記録される記録情報の種類やサイズ等の特性に応じて、より柔軟な記録動作を行うことができる。【００１９】
そして、第２ブロックエリアについても、第１ブロックエリアと同様の構造を有しているため、上述した各種利益を好適に享受することができる。【００２０】
上述の如く第２ブロックエリアを含む情報記録媒体の態様は、前記第１記録層の前記第２サイズの記録領域と対向する位置にある前記第２記録層の記録領域は略第２サイズであるように構成してもよい。【００２１】
このように構成すれば、第２ブロックエリアを構成する第２記録層の一部の記録領域のサイズが、第２サイズと同一或いは概ね同一となる。即ち、第２ブロックエリアを構成する第１記録層の一部の記録領域及び第２記録層の一部の記録領域の夫々のサイズが同一或いは略同一となる。従って、第１記録層に記録される記録情報と第２記録層に記録される記録情報との夫々の大きさ（サイズ）を概ね均等にすることが可能となる。このため、ファイナライズ処理の際にダミーデータを記録する必要のある領域の大きさを減少させ或いはなくすことが可能となる。【００２２】
上述の如く第２ブロックエリアを含む情報記録媒体の態様は、前記サイズエリアに、前記第２サイズを示す第２サイズ情報を更に記録するように構成してもよい。【００２３】
このように構成すれば、第２ブロックエリアについても、第１ブロックエリアの第１サイズ情報と同様に、第２サイズ情報が記録される。従って、この第２サイズ情報を参照することで、第２ブロックエリアの構造を比較的容易に且つ好適に認識することができる。【００２４】
本発明の情報記録媒体の他の態様は、前記サイズエリアは、前記記録情報の記録を管理するための記録管理エリアに含まれる。【００２５】
このように構成すれば、記録情報の記録を管理するための記録管理情報が記録される記録管理エリアに含まれるサイズエリアに、第１サイズ情報（更には、第２サイズ情報）が記録される。このため、記録動作の途中であっても、情報記録媒体上の状態を好適に認識することができる。その結果、記録情報を好適に記録することが可能となる。【００２６】
（情報記録装置及び方法）
本発明の情報記録装置は上記課題を解決するために、記録情報を記録可能な第１記録層と第２記録層とを備える情報記録媒体に前記記録情報を記録する記録手段と、前記第１記録層の第１サイズの記録領域と該第１記録層の第１サイズの記録領域に対向する位置にある前記第２記録層の記録領域とを夫々含む第１ブロックエリアの単位毎に前記記録情報を記録するように前記記録手段を制御する第１制御手段と、前記第１記録層及び前記第２記録層の少なくとも一方に、前記第１サイズを示す第１サイズ情報を前記記録情報として記録するように前記記録手段を制御する第２制御手段とを備える。【００２７】
本発明の情報記録装置によれば、記録手段の動作により、情報記録媒体の第１記録層或いは第２記録層へ記録情報を記録することができる。本発明では特に、第１制御手段の動作により、第１サイズを有する第１記録層の一部の記録領域と第２記録層の一部の記録領域とを含む第１ブロックエリアの単位毎に記録情報が記録されるように記録手段が制御される。このため、第１記録層及び第２記録層のいずれか一方に偏って記録情報が記録されることがあまり或いは殆どなくなる。このため、第１記録層の全体に記録情報を記録した後に第２記録層に記録情報を記録する場合と比較して、ファイナライズ処理の際にダミーデータを記録する必要のある領域の大きさを減少させ或いはなくすことが可能となる。これにより、ファイナライズに要する時間の短縮を図ることができ、その結果記録動作の効率化を図ることができるという大きな利点を有する。【００２８】
更に、第１ブロックエリア毎に記録情報の記録を行うため、記録情報の追記を繰り返したとしても、第１記録層及び第２記録層のいずれか一方に偏って記録情報が記録されることがあまり或いは殆どなくなる。このため、一度しか記録情報を記録しない場合であっても、或いは記録情報の追記を行う場合であっても、いずれの場合も上述の各種利益を享受することが可能である。【００２９】
更に、この第１サイズは、第２制御手段の動作により、第１サイズ情報として情報記録媒体に記録される。従って、記録の対象となる記録層が切り替わる地点を情報記録装置自体が記憶していなくとも、複数の第１ブロックエリアを比較的容易に認識することができる。即ち、第１ブロックエリアの切り替わりの単位や記録の対象となる記録層が切り替わる地点を好適に認識することができる。そして、各第１ブロックエリアを構成する第１記録層の一部の記録領域のサイズが同一或いは略同一であるがゆえに、第１サイズ情報を一度情報記録媒体に記録すれば足りる。即ち、記録の対象となる記録層が切り替わる毎に第１サイズ情報を記録する必要もなく、第１サイズ情報を記録可能な記録領域がなくなってしまうという不都合も生じない。このため、記録動作を好適に継続して行うことができる。そして、ファイナライズ処理を行なう前に情報記録媒体を情報記録装置からイジェクトしたとしても、情報記録媒体に記録されている第１サイズ情報を参照すれば、記録情報が各記録層に交互に記録されていても、情報記録媒体上の構造（特に、複数の第１ブロックエリアの構造）を好適に認識することができる。従って、認識される構造に基づき、好適に記録動作を継続することができる。【００３０】
以上の結果、本発明の情報記録装置によれば、ファイナライズ処理に要する時間を短縮させることができると共に、各記録層へ記録情報を記録したとしても、記録情報がどのような形で記録されているかの構造を好適に認識することができる。このため、好適に記録情報の記録を行うことができる。【００３１】
尚、上述した本発明の情報記録媒体における各種態様に対応して、本発明に係る情報記録装置も各種態様を採ることが可能である。【００３２】
本発明の情報記録装置の一の態様は、前記第１制御手段は、前記第１サイズの記録領域に対向する前記第２記録層の記録領域のサイズが略第１サイズとなる前記第１ブロックエリアの単位毎に前記記録情報を記録するように前記記録手段を制御する。【００３３】
この態様によれば、第１制御手段の動作により、第１サイズを有する第２記録層の一部の記録領域を含む第１ブロックエリアの単位毎に記録情報が記録される。即ち、第１ブロックを構成する第１記録層の一部の記録領域及び第２記録層の一部の記録領域の夫々のサイズが同一或いは略同一となるように記録情報が記録される。従って、第１記録層に記録される記録情報と第２記録層に記録される記録情報との夫々の大きさ（サイズ）を概ね均等にすることが可能となる。このため、ファイナライズ処理の際にダミーデータを記録する必要のある領域の大きさを減少させ或いはなくすことが可能となる。【００３４】
本発明の情報記録装置の他の態様は、前記第１記録層のうち前記第１サイズと異なる第２サイズの記録領域と該第１記録層の第２サイズの記録領域と対向する位置にある前記第２記録層の記録領域とを夫々含む第２ブロックエリアの単位毎に前記記録情報を記録するように前記記録手段を制御する第３制御手段を更に備える。【００３５】
この態様によれば、情報記録媒体の全体に渡って、全て同一のサイズを有する第１ブロックエリアに記録情報を記録しなくともよい。即ち、第３制御手段の動作により、第１ブロックエリアを構成する第１記録層の一部の記録領域のサイズである第１サイズと異なる第２サイズを有する記録領域により構成される第２ブロックエリアに記録情報が記録される。従って、記録される記録情報の種類やサイズ等の特性に応じて、より柔軟な記録動作を行うことができる。【００３６】
そして、第２ブロックエリアについても、第１ブロックエリアと同様の構造を有しているため、上述した各種利益を好適に享受することができる。【００３７】
上述の如く第３制御手段を備える情報記録装置の態様では、前記第３制御手段は、前記第２サイズの記録領域に対向する前記第２記録層の記録領域のサイズが略第２サイズとなる前記第２ブロックエリアの単位毎に前記記録情報を記録するように前記記録手段を制御するように構成してもよい。【００３８】
このように構成すれば、第３制御手段の動作により、第２サイズを有する第２記録層の一部の記録領域を含む第２ブロックエリアの単位毎に記録情報が記録される。即ち、第２ブロックエリアを構成する第１記録層の一部の記録領域及び第２記録層の一部の記録領域の夫々のサイズが同一或いは略同一となるように記録情報が記録される。従って、第１記録層に記録される記録情報と第２記録層に記録される記録情報との夫々の大きさ（サイズ）を概ね均等にすることが可能となる。このため、ファイナライズ処理の際にダミーデータを記録する必要のある領域の大きさを減少させ或いはなくすことが可能となる。【００３９】
上述の如く第３制御手段を備える情報記録装置の態様では、前記第２制御手段は、前記第２サイズを示す第２サイズ情報を前記記録情報として記録するように前記記録手段を制御するように構成してもよい。【００４０】
このように構成すれば、第２制御手段の動作により、第２ブロックエリアについても、第１ブロックエリアの第１サイズ情報と同様に、第２サイズ情報が記録される。従って、この第２サイズ情報を参照することで、第２ブロックエリアの構造を比較的容易に且つ好適に認識することができる。【００４１】
本発明の情報記録装置の他の態様は、前記第１制御手段は、前記記録情報の記録の対象となる記録層を切り替えるためのレイヤジャンプを前記第１サイズ毎に行なうことで、前記第１ブロックエリアの単位毎に前記記録情報を記録するように前記記録手段を制御する。或いは、前記第３制御手段は、前記記録情報の記録の対象となる記録層を切り替えるためのレイヤジャンプを前記第２サイズ毎に行うことで、前記第２ブロックエリアの単位毎に前記記録情報を記録するように前記記録手段を制御する。【００４２】
この態様によれば、レイヤジャンプの動作を好適に制御することができ、第１ブロックエリア（或いは、第２ブロックエリア）の単位毎に好適に記録情報を記録することが可能となる。【００４３】
尚、レイヤジャンプによって、記録情報が記録される対象となる記録層が、第１記録層から第２記録層へ、或いは第２記録層から第１記録層へと切り替わる。例えば、レイヤジャンプする直前に記録情報を記録していた第１記録層の記録エリアに相対向する第２記録層の記録エリアへと記録情報の記録の対象が切り替わる。【００４４】
本発明の情報記録装置の他の態様では、前記第２制御手段は、前記第１サイズ情報を前記記録情報の記録を管理するための記録管理情報が記録される記録管理エリアに記録するように前記記録手段を制御する。或いは、前記第２制御手段は、前記第２サイズ情報を前記記録情報の記録を管理するための記録管理情報が記録される記録管理エリアに記録するように前記記録手段を制御する。【００４５】
この態様によれば、記録情報の記録を管理するための記録管理情報が記録される記録管理エリアに第１サイズ情報（或いは、第２サイズ情報）を記録するため、記録動作の途中であっても、情報記録媒体上の状態を好適に認識することができる。その結果、記録情報を好適に記録することが可能となる。【００４６】
本発明の情報記録装置の他の態様は、前記第１サイズ情報に基づいて、前記記録情報の記録及び再生の少なくとも一方を制御するための制御情報（例えば、ファイルシステム情報）を作成する作成手段を更に備える。或いは、前記第２サイズ情報に基づいて、前記記録情報の記録及び再生の少なくとも一方を制御するための制御情報を作成する作成手段を更に備える。【００４７】
この態様によれば、第１サイズ情報（或いは、第２サイズ情報）が示す第１ブロックエリア（或いは、第２ブロックエリア）のデータ構造（特に、記録情報の記録の対象となる記録層を切り替える）を比較的容易に認識することができる。従って、比較的容易に制御情報を作成することが可能となる。【００４８】
本発明の情報記録方法は上記課題を解決するために、記録情報を記録可能な第１記録層と第２記録層とを備える情報記録媒体に前記記録情報を記録する記録手段を備える情報記録装置における情報記録方法であって、前記第１記録層の第１サイズの記録領域と該第１記録層の第１サイズの記録領域に対向する位置にある前記第２記録層の記録領域とを夫々含む第１ブロックエリアの単位毎に前記記録情報を記録するように前記記録手段を制御する第１制御工程と、記第１記録層及び前記第２記録層の少なくとも一方に、前記第１サイズを示す第１サイズ情報を前記記録情報として記録するように前記記録手段を制御する第２制御工程とを備える。【００４９】
本発明の情報記録方法によれば、上述した本発明の情報記録装置が有する各種利益と同様の利益を享受することができる。【００５０】
尚、上述した本発明の情報記録装置における各種態様に対応して、本発明に係る情報記録方法も各種態様を採ることが可能である。【００５１】
（コンピュータプログラム）
本発明のコンピュータプログラムは上記課題を解決するために、上述した情報記録装置（但し、その各種形態も含む）に備えられたコンピュータを制御する記録制御用のコンピュータプログラムであって、該コンピュータを、前記第１制御手段及び前記第２制御手段の少なくとも一部として機能させる。【００５２】
本発明のコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置を比較的簡単に実現できる。【００５３】
尚、上述した本発明の情報記録装置における各種態様に対応して、本発明のコンピュータプログラムも各種態様を採ることが可能である。【００５４】
コンピュータ読取可能な媒体内のコンピュータプログラム製品は上記課題を解決するために、上述した情報記録装置（但し、その各種形態も含む）に備えられたコンピュータにより実行可能なプログラム命令を明白に具現化し、該コンピュータを、前記第１制御手段及び前記第２制御手段の少なくとも一部として機能させる。【００５５】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報記録装置を比較的容易に実施可能となる。更に具体的には、当該コンピュータプログラム製品は、上述した本発明の情報記録装置として機能させるコンピュータ読取可能なコード（或いはコンピュータ読取可能な命令）から構成されてよい。【００５６】
本発明のこのような作用及び他の利得は次に説明する実施例から明らかにされる。【００５７】
以上説明したように、本発明の情報記録媒体は、夫々第１サイズの第１記録層の一部と第２記録層の一部を含むブロックエリアを複数含み、且つ第１サイズを示すサイズ情報を記録するためのサイズエリアを備える。従って、ファイナライズ処理に要する時間を短縮させることができると共に、各記録層へ記録情報を記録したとしても、好適に記録情報の記録を行うことができる。【００５８】
また、本発明の情報記録装置及び方法は、記録手段、第１制御手段及び第２制御手段、又は第１制御工程及び第２制御工程を備える。従って、ファイナライズ処理に要する時間を短縮させることができると共に、各記録層へ記録情報を記録したとしても、好適に記録情報の記録を行うことができる。
【図面の簡単な説明】
【００５９】
【図１】本発明の情報記録媒体に係る実施例としての複数の記録領域を有する光ディスクの基本構造を示した概略平面図であり、該光ディスクの概略断面図と、これに対応付けられた、その半径方向における記録領域構造の図式的概念図である。
【図２】本実施例に係る光ディスクへのデータの記録の態様を概念的に示す説明図である。
【図３】ＲＭＡに記録されるレイヤジャンプインターバル等のデータを含むＲＭＤ（Recording Management Data：記録管理データ）のデータ構造を概念的に示すデータ構造図である。
【図４】１つのボーダーエリアに複数の記録区画が含まれるようにデータを記録する記録の態様を概念的に示すデータ構造図である。
【図５】１つの記録区画が１つのボーダーエリアに対応するようにデータを記録する記録の態様を概念的に示すデータ構造図である。
【図６】複数のＲ＿Ｚｏｎｅがユーザデータエリア上に設けられている光ディスクを示すデータ構造図である。
【図７】本発明の情報記録装置に係る実施例の基本的な構成を概念的に示すブロック図である。
【図８】本実施例に係る情報記録再生装置の記録動作全体の流れを概念的に示すフローチャートである。
【図９】記録動作の一の過程を示すデータ構造図である。
【図１０】記録動作の他の過程を示すデータ構造図である。
【符号の説明】
【００６０】
１００、１００ａ  光ディスク
１０１、１１１  ファイルシステム
１０２  リードインエリア
１０３、１１３  ＰＣＡ
１０４、１１４  ＲＭＡ
１０５、１１５  ユーザデータエリア
１０６、１１６  ボーダーインエリア
１０７、１１７、  ボーダーアウトエリア
１１８  リードアウトエリア
１０９、１１９  ミドルエリア
１２１  レイヤジャンプインターバル
２００  情報記録再生装置
３００  ディスクドライブ
３５２  光ピックアップ
３５４  ＣＰＵ
３５９  ＣＰＵ
４００  ホストコンピュータ
【発明を実施するための最良の形態】
【００６１】
以下、本発明を実施するための最良の形態について実施例毎に順に図面に基づいて説明する。【００６２】
以下、本発明の実施例を図面に基づいて説明する。【００６３】
（情報記録媒体）
初めに、図１から図６を参照して、本発明の情報記録媒体に係る実施例について説明を進める。【００６４】
先ず図１を参照して、本発明の情報記録媒体に係る実施例としての光ディスクの基本構造について説明する。ここに、図１（ａ）は、本発明の情報記録媒体に係る実施例としての複数の記録領域を有する光ディスクの基本構造を示した概略平面図であり、図１（ｂ）は、該光ディスクの概略断面図と、これに対応付けられた、その半径方向における記録領域構造の図式的概念図である。【００６５】
図１（ａ）及び図１（ｂ）に示されるように、光ディスク１００は、例えば、ＤＶＤと同じく直径１２ｃｍ程度のディスク本体上の記録面に、センターホールを中心として、リードインエリア１０２又はリードアウトエリア１１８、ユーザデータエリア１０５及び１１５、並びにミドルエリア１０９及び１１９が設けられている。そして、光ディスク１００は、透明基板１１０上に記録層等が積層されている。そして、この記録層の各記録領域には、例えば、センターホールを中心にスパイラル状或いは同心円状に、例えば、グルーブトラック及びランドトラック等のトラックが交互に設けられている。また、このトラック上には、データがＥＣＣブロックという単位で分割されて記録される。ＥＣＣブロックは、記録情報がエラー訂正可能なプリフォーマットアドレスによるデータ管理単位である。【００６６】
尚、本発明は、このような三つのエリアを有する光ディスクには特に限定されない。例えば、リードインエリア１０２、リードアウトエリア１１８又はミドルエリア１０９（１１９）が存在せずとも、以下に説明するデータ構造等の構築は可能である。また、後述するように、リードインエリア１０２、リードアウトエリア１１８又はミドルエリア１０９（１１９）は更に細分化された構成であってもよい。【００６７】
特に、本実施例に係る光ディスク１００は、図１（ｂ）に示されるように、例えば、透明基板１１０に、本発明に係る第１及び第２記録層の一例を構成するＬ０層及びＬ１層が積層された構造をしている。このような二層型の光ディスク１００の記録再生時には、図１（ｂ）中、下側から上側に向かって照射されるレーザ光ＬＢの集光位置をいずれの記録層に合わせるかに応じて、Ｌ０層におけるデータの記録再生が行なわれるか又はＬ１層におけるデータの記録再生が行われる。特に、Ｌ０層においては内周側から外周側に向かってデータが記録され、他方Ｌ１層においては外周側から内周側に向かってデータが記録される。即ち、本実施例に係る光ディスク１００は、オポジットトラックパス方式の光ディスクに相当する。但し、パラレルトラックパス方式の光ディスクであっても、以下に説明する構成を採用することで、以下に述べる各種利益を享受することができる。【００６８】
また、本実施例に係る光ディスク１００は、リードインエリア１０２及びリードアウトエリア１１８の更に内周側に、ＰＣＡ（Power Calibration Area：パワー較正エリア）１０３（１１３）と、ＲＭＡ（Recording Management Area：記録管理エリア）１０４（１１４）とを備えている。【００６９】
ＰＣＡ１０３（１１３）は、光ディスク１００へデータを記録する際のレーザ光ＬＢのレーザパワーを調整（較正）するＯＰＣ（Optimum Power Control）処理を実行するための記録エリアである。レーザパワーを段階的に変化させながらＰＣＡ１０３（１１３）にＯＰＣパターンが記録され、且つ記録されたＯＰＣパターンの再生品質（例えばアシンメトリ等）が測定されることで、データを記録する際の最適なレーザパワーが算出される。【００７０】
ＲＭＡ１０４（１１４）は、光ディスク１００へのデータの記録を管理するための各種管理情報を記録するための記録エリアである。【００７１】
また、本実施例に係る光ディスク１００は、２層片面、即ち、デュアルレイヤーに限定されるものではなく、２層両面、即ちデュアルレイヤーダブルサイドであってもよい。更に、上述の如く２層の記録層を有する光ディスクに限られることなく、３層以上の多層型の光ディスクであってもよい。【００７２】
続いて、図２を参照して、本実施例に係る光ディスクへのデータの記録の態様についてより詳細に説明する。ここに、図２は、本実施例に係る光ディスクへのデータの記録の態様を概念的に示す説明図である。【００７３】
図２に示すように、光ディスク１００は、２つの記録層（即ち、Ｌ０層とＬ１層）を有している。そして、Ｌ０層には、リードインエリア１０２及びミドルエリア１０９が設けられ、Ｌ１層には、リードアウトエリア１１８及びミドルエリア１１９が設けられている。また、ユーザデータエリア１０５とリードインエリア１０２との間には、ファイルシステム情報１０１が記録され、またリードアウトエリア１１８とユーザデータエリア１１５との間にはファイルシステム情報１１１が記録される。そして、本実施例では、ファイルシステム情報１０１及び１１１が記録される記録エリアが、Ｒ＿Ｚｏｎｅ＃１（Record Zone #1：記録ゾーン＃１）として割り当てられ、またユーザデータエリア１０５及び１１５が、Ｒ＿Ｚｏｎｅ＃２として割り当てられている。【００７４】
本実施例に係る光ディスクでは特に、Ｌ０層及びＬ１層の夫々のユーザデータエリア１０５（１１５）中に複数の記録区画（本発明における「第１ブロックエリア」や「第２ブロックエリア」の一具体例）が存在する。各記録区画は、ユーザデータエリア１０５（１１５）の一部を構成する部分ユーザデータエリア１０５ａ、１０５ｂ又は１０５ｃ、及び１１５ａ、１１５ｂ又は１１５ｃから構成されている。例えば、第１記録区画は部分ユーザデータエリア１０５ａと該部分ユーザデータエリア１０５ａと対向する部分ユーザデータエリア１１５ａから構成されており、第２記録区画は部分ユーザデータエリア１０５ｂと該部分ユーザデータエリア１０５ｂと対向する部分ユーザデータエリア１１５ｂから構成されており、第３記録区画は部分ユーザデータエリア１０５ｃと該部分ユーザデータエリア１０５ｃと対向する部分ユーザデータエリア１１５ｃから構成されている。このとき、例えば部分ユーザデータエリア１０５ａと、それに対向する部分ユーザデータエリア１１５ａとは、レーザ光ＬＢを照射する側から見て同一の位置関係にあってもよい。即ち、光ディスク１００がオポジットトラックパス方式であることから、部分ユーザデータエリア１０５ａのアドレス値と部分ユーザデータエリア１１５ａのアドレス値とは互いに補数の関係にあってもよい。但し、例えば部分ユーザデータエリア１０５ａと、それに相対向する部分ユーザデータエリア１１５ａとは、レーザ光ＬＢを照射する側から見て厳密に同一の位置関係になくとも、概ね同一と同視し得る位置関係にあってもよいし、或いは記録動作や再生動作に影響を与えることのない位置関係であれば、多少のズレは許容される。【００７５】
そして、例えば映画データや音声データ等の各種コンテンツデータやその他各種データ等は、この記録区画単位毎に記録されている。即ち、例えばある映画データ（或いは、あるファイル）が第１記録区画に記録され、例えばある音楽データ（或いは、あるファイル）が第２記録区画に記録され、例えばあるＰＣ用データ（或いは、あるファイル）が第３記録区画に記録される。特に、第１記録区画にデータが先ず記録され、続いて第２記録区画にデータが記録され、更に続いて第３記録区画へデータが記録される。そして、本実施例に係る光ディスク１００は、オポジットトラックパス方式の光ディスクであるため、各記録区画のうちＬ０層においては内周側から外周側に向かってデータが記録され、他方、各記録区画のうちＬ１層においては外周側から内周側に向かってデータが記録される。即ち、図２中の矢印にて示す方向に向かってデータが記録されていく。【００７６】
また、ある単一のデータ（ファイル）が、複数の記録区画に跨って記録されていてもよい。即ち、ある単一のデータの一部が、第１記録区画の全体に記録され、続いて、この単一のデータの残りの一部が、第２記録区画の少なくとも一部に記録されてもよい。要は、データが記録区画単位毎に、第１記録区画から順に記録されていけばよい。【００７７】
本実施例では特に、複数の記録区画の夫々のサイズは同一或いは略同一である。より詳細に説明すると、複数の記録区画の夫々のＬ０層の部分ユーザデータエリア１０５ａ、１０５ｂ及び１０５ｃの夫々のサイズは同一或いは略同一であり、また複数の記録区画の夫々のＬ１層の部分ユーザデータエリア１１５ａ、１１５ｂ及び１１５ｃの夫々のサイズは同一或いは略同一である。また、相対向するＬ０層の部分ユーザデータエリア１０５ａ（或いは、１０５ｂや１０５ｃ）とＬ１層の部分ユーザデータエリア１１５ａ（或いは、１１５ｂや１１５ｃ）とが１つの記録区画を構成しているため、相対向するＬ０層の部分ユーザデータエリア１０５ａ（或いは、１０５ｂや１０５ｃ）とＬ１層の部分ユーザデータエリア１１５ａ（或いは、１１５ｂや１１５ｃ）との夫々のサイズは同一或いは略同一である。言い換えれば、データの記録の対象となる記録層をＬ０層からＬ１層へ切り替えるレイヤジャンプ動作が等間隔で行なわれる。【００７８】
そして、この各記録区画のＬ０層及びＬ１層の夫々のサイズ（即ち、部分ユーザデータエリア１０５ａ、１０５ｂ、１０５ｃ、１１５ａ、１１５ｂ及び１１５ｃの夫々のサイズであって、レイヤジャンプ動作が行なわれる間隔）は、本発明における「第１サイズ情報」や「第２サイズ情報」の一具体例を構成する「レイヤジャンプインターバル」としてＲＭＡ１０４（１１４）に記録されている。この「レイヤジャンプインターバル」について、図３を参照しながらより詳細に説明する。ここに、図３は、ＲＭＡ１０４（１１４）に記録されるレイヤジャンプインターバル等のデータを含むＲＭＤ（Recording Management Data：記録管理データ）のデータ構造を概念的に示すデータ構造図である。【００７９】
図３に示すように、ＲＭＡ１０４（１１４）には、レイヤジャンプインターバル（Layer Jump Interval）１２１が記録されている。係るレイヤジャンプインターバル１２１は、光ディスク１００の一具体例たるＤＶＤのフォーマットを例に説明すると、ＲＭＡ１０４（１１４）に記録されるフォーマット４のＲＭＤのフィールド３のバイトポジション（バイト位置）が“１４”から“１５”である記録エリアに記録される。即ち、このバイトポジションが“１４”から“１５”である記録エリアが、本発明における「サイズエリア」の一具体例を構成している。【００８０】
レイヤジャンプインターバル１２１は、２バイトのサイズを有するデータであり、各記録区画の部分ユーザデータエリア１０５ａ、１０５ｂ、１０５ｃ、１１５ａ、１１５ｂ及び１１５ｃの夫々のサイズ（即ち、レイヤジャンプ動作が行なわれる間隔）を示している。例えば、レイヤジャンプインターバル１２１が、１０００ＥＣＣブロックに相当するサイズを示していれば、各記録区画の部分ユーザデータエリア１０５ａ、１０５ｂ、１０５ｃ、１１５ａ、１１５ｂ及び１１５ｃの夫々のサイズは、１０００ＥＣＣブロックとなる。そして、レイヤジャンプ動作は、１０００ＥＣＣブロックのデータが記録される毎に行なわれる。【００８１】
尚、ＲＭＤのフィールド３には、レイヤジャンプインターバル１２１の他に各種データが記録されている。例えば、バイトポジションが“０”から“１”である記録エリアには、インビジブルＲ＿Ｚｏｎｅ数（Invisible RZone number）を示すデータが記録され、バイトポジションが“２”から“３”である記録エリアには、第１オープンＲ＿Ｚｏｎｅ数（First Open RZone number）を示すデータが記録され、バイトポジションが“４”から“５”である記録エリアには、第２オープンＲ＿Ｚｏｎｅ数（Second Open RZone number）を示すデータが記録され、バイトポジションが“１６”から“１９”である記録エリアには、Ｒ＿Ｚｏｎｅ＃１のスタートセクタ番号（Start sector number of RZone#1）を示すデータが記録され、バイトポジションが“２０”から“２３”である記録エリアには、Ｒ＿Ｚｏｎｅ＃１のレイヤジャンプアドレス（Layer Jump address of RZone#1）を示すデータが記録され、バイトポジションが“２４”から“２７”である記録エリアには、Ｒ＿Ｚｏｎｅ＃１のエンドセクタ番号（End sector number of RZone#1）を示すデータが記録され、バイトポジションが“２８”から“３１”である記録エリアには、Ｒ＿Ｚｏｎｅ＃１のラストレコーデッドアドレス（Last recorded address of RZone#1）を示すデータが記録され、バイトポジションが“３２”から“３５”である記録エリアには、Ｒ＿Ｚｏｎｅ＃２のスタートセクタ番号（Start sector number of RZone#2）を示すデータが記録される。それ以降は、Ｒ＿Ｚｏｎｅ＃２に関してもＲ＿Ｚｏｎｅ＃１と同様にレイヤジャンプアドレスやエンドセクタ番号やラストレコーデッドアドレス等を示すデータが記録される。また、Ｒ＿Ｚｏｎｅ＃３、＃４等が存在していれば、これらのＲ＿Ｚｏｎｅ＃３、＃４等に対しても同様のデータが記録される。【００８２】
また、バイトポジションが“６”から“１３”である記録エリアは、将来の機能拡張のために用いるためのリザーブドエリアとして確保されている。【００８３】
このように複数の記録区画毎にデータを記録するように構成することで、Ｌ０層及びＬ１層の夫々内周側よりデータを順次記録していくことが可能となる。このため、光ディスクのファイナライズ処理の際に、その処理に要する時間が相対的に短くなるという利点を有する。特に、Ｌ０層の全体にデータを記録した後にＬ１層へデータを記録する態様の光ディスクであれば、Ｌ１層に殆どデータが記録されていないにもかかわらず、Ｌ０層の全体にデータが記録されているがゆえに、光ディスク全体に記録されているデータ量と比較して、ファイナライズに要する時間が相対的に長くなるという技術的な問題点を有していた。これは、Ｌ１層におけるデータが記録されていないエリアへダミーデータを記録する時間が必要となるためである。しかるに、本実施例によれば、記録区画毎に各種データが記録されるため、Ｌ０層とＬ１層との夫々に概ね均等にデータを記録することが可能となる。従って、上述したようにＬ１層においてダミーデータを記録する必要がなくなる。言い換えれば、ミドルエリア１０９（１１９）よりも外周側においては、未記録状態（即ち、ミラー状態）のままで足りる。このため、ファイナライズ処理に要する時間を短縮することができるため、記録動作時間の短縮やユーザの快適性の向上等に資することができる。【００８４】
そして、各記録区画のサイズが同一或いは略同一であるがゆえに、記録の対象となる記録層が切り替わる地点（レイヤジャンプポイント）を後述のディスクドライブやホストコンピュータ等が記憶していなくとも、各記録区画を比較的容易に認識することができる。そして、各記録区画のサイズが同一或いは略同一であるがゆえに、一度ＲＭＡ１０４（１１４）にレイヤジャンプインターバル１２１を記録すれば足りる。即ち、記録の対象となる記録層が切り替わる毎にＲＭＤを記録する必要もなく、ＲＭＡ１０４（１１４）のうち記録可能な記録エリアがなくなってしまうという不都合も生じない。このため、記録動作を継続して行うことができる。【００８５】
そして、ファイナライズ処理を行う前に光ディスク１００をディスクドライブからイジェクトしたとしても、ＲＭＡ１０４（１１４）に記録されているレイヤジャンプインターバル１２１を参照すれば、データが各記録層に交互に記録されていても、光ディスク１００上のデータ構造（特に、各記録区画の構造）を好適に認識することができる。即ち、レイヤジャンプインターバル１２１から、各記録区画のサイズを取得することができるため、所定の演算処理を実行することで、光ディスク１００上のデータ構造（特に、各記録層のデータ構造）を好適に且つ比較的容易に認識することができる。【００８６】
尚、図４及び図５を参照して、本実施例に係る光ディスク１００のより詳細なデータ構造について説明する。具体的には、ボーダーエリアを用いてデータを記録する態様について説明する。ここに、図４は、１つのボーダーエリアに複数の記録区画が含まれるようにデータを記録する記録の態様を概念的に示すデータ構造図であり、図５は、１つの記録区画が１つのボーダーエリアに対応するようにデータを記録する記録の態様を概念的に示すデータ構造図である。【００８７】
図４に示すように、１つのボーダーエリア中に複数の記録区画が含まれるようにデータを記録してもよい。例えば図４では、第１ボーダーエリアは、第１記録区画と第２記録区画とを含んで構成されており、また第２ボーダーエリアは、第３記録区画と第４記録区画とを含んで構成されている。【００８８】
ここで、第１及び第２ボーダーエリアについてより詳細に説明すると、第１ボーダーエリアは、部分ユーザデータエリア１０５ａ、１０５ｂ、１１５ａ及び１１５ｂと、ボーダーアウトエリア１０７ａ及び１１７ａとを備えている。また、第２ボーダーエリアは、ボーダーインエリア１０６ｂ及び１１６ｂと、部分ユーザデータエリア１０５ｃ、１０５ｄ、１１５ｃ及び１１５ｄと、ボーダーアウトエリア１０７ｂ及び１１７ｂとを備えている。尚、第１ボーダーエリアは、第２ボーダーエリアの如くボーダーインエリアを備えていないが、リードインエリア１０２或いはリードアウトエリア１１８中に含まれるエクストラボーダーインエリア（或いは、エクストラボーダーゾーン）が、第１ボーダーエリアにおけるボーダーインエリアとしての機能を有している。このようなボーダーインエリアやボーダーアウトエリアが形成されることで、ファイナライズ処理を行う前であっても、マルチボーダー対応の情報再生装置（ＲＯＭプレーヤ）等において光ディスク１００を再生することができる。【００８９】
ボーダーインエリア１０６及び１１６（或いは、エクストラボーダーインエリア）は、各ボーダーエリアに記録されているデータを管理するための管理情報が記録される記録エリアであって、例えば光ディスク１００の内周から外周方向に向かって数μｍ程度の大きさを有している。【００９０】
具体的には、ボーダーインエリア１０６（１１６）には、最新物理フォーマット情報（updated physical format information）が記録されている。この最新物理フォーマット情報は、対応するボーダーエリア中におけるデータの分布情報（例えば、マッピング情報等）を示す情報である。そして、最新物理フォーマット情報は、５ＥＣＣブロックに相当する大きさを有している。但し、この大きさに限定されるものではない。【００９１】
ボーダーアウトエリア１０７（１１７）は、各ボーダーエリアにデータを記録する際の記録動作や記録されたデータを再生する際の再生動作を制御するための各種制御情報が記録される領域であって、光ディスク１００の内周から外周方向に向かって概ね５００ないし１００μｍ程度の大きさを有している。【００９２】
具体的には、ボーダーアウトエリア１０７（１１７）には、ＲＭＤコピーやストップブロックやネクストボーダーマーカー等が記録されている。【００９３】
ＲＭＤコピーは、データの記録を管理する情報であって、且つＲＭＡ１０４（１１４）内に記録されているＲＭＤと同一の情報を含んでいる。このＲＭＤコピーは、例えばＤＶＤ−ＲのＲＭＡ１０４（１１４）内のＲＭＤを読めない情報再生装置（ＲＯＭプレーヤ）に対して、ボーダーエリアに記録された各種データを再生するための情報（即ち、ＲＭＤ）を提供することが可能である。【００９４】
ストップブロックは、例えば２ＥＣＣブロックのサイズを有するフラグ情報を含んでおり、当該ボーダーアウトエリア１０７（１１７）以降にデータが記録されているか否かを示す。即ち、光ディスク１００に記録されたデータを再生する情報再生装置が、当該ストップブロックによりデータが記録されていないと判断したら、それ以降のエリアは読み取らない。【００９５】
ネクストボーダーマーカーは、光ディスク１００にデータを記録する情報記録装置により用いられる情報である。例えば２ＥＣＣブロックのサイズのデータが、３つ記録されることで、このネクストボーダーマーカーが示される。具体的には、当該ボーダーアウトエリア１０７（１１７）に続いて更にデータが記録されている場合に、所定のデータ（例えば、“００ｈ”）をネクストボーダーマーカーとして記録する。他方、当該ボーダーアウトエリア１０７（１１７）に続いて更にデータが記録されていない場合、ネクストボーダーマーカーが記録されず、ボーダーアウトエリア１０７（１１７）の一部の記録エリア（具体的には、ボーダーアウトエリア１０７（１１７）の後半分の記録エリア）はミラー状態（即ち、未記録状態）となっている。【００９６】
また、図５に示すように、１つのボーダーエリア中に１つの記録区画が含まれるようにデータを記録してもよい。例えば図５では、第１ボーダーエリアは、第１記録区画を含んで構成されており、また第２ボーダーエリアは、第２記録区画を含んで構成されており、また第３ボーダーエリアは、第３記録区画を含んで構成されている。図５における第１ボーダーエリア、第２ボーダーエリア及び第３ボーダーエリアについても、図４に示す第１ボーダーエリア及び第２ボーダーエリアと同様のデータ構造を有する。即ち、ボーダーインエリア１０６（１１６）やボーダーアウトエリア１０７（１１７）を備えている。【００９７】
尚、ボーダーアウトエリア１０７（１１７）は、データが記録される対象の記録層が、Ｌ０層からＬ１層へと切り替わる地点において、Ｌ０層及びＬ１層の夫々に設けられている。係る地点にボーダーアウトエリア１０７（１１７）が設けられることで、例えば光ディスク１００上の所定の記録位置をサーチしている光ピックアップ（或いは、該光ピックアップから照射されるレーザ光）の突き抜けを防止することが可能となる。ここでの「突き抜け」とは、例えば光ディスク１００に第１ボーダーエリアのみが設けられている場合において、部分ユーザデータエリア１０５ａをサーチしている際に、そのサーチ対象先が該部分ユーザデータエリア１０５ａを飛び越えて、データが未記録の（例えばミラー領域の）記録エリアに飛び出すことを示す。このような光ピックアップの突き抜けは、その後の記録動作や再生動作の暴走にもつながりかねず、好ましくない。しかるに本実施例によれば、ボーダーアウトエリア１０７（１１７）が設けられているため、このような突き抜けを適切に防止することが可能となる。加えて、ボーダーアウトエリア１０７（１１７）により、記録の対象となる記録層をＬ０層とＬ１層との間で変更する変更動作たる“レイヤジャンプ”を行う際に、二つの記録層間の貼合せずれや偏心、或いはレーザ光の照射位置のずれによって、レイヤジャンプ後に、データが未記録の記録エリアにレーザ光が入ってしまうのを防止することが可能となる。【００９８】
また、例えば偏心等の影響を考慮して、Ｌ０層における部分ユーザデータエリア１０５ａのサイズをＬ１層における部分ユーザデータエリア１１５ａのサイズより大きくするように構成してもよい。特にこの場合、Ｌ０層におけるユーザデータエリア１０５ａに対応する位置にのみＬ１層におけるユーザデータエリア１１５ａが配置されていることが好ましい。これにより、Ｌ１層にデータを記録する場合には、必ずデータが記録されたＬ０層を介してレーザ光を照射できるため、記録特性の向上を図ることができる。もちろん他の部分ユーザデータエリア１０５ｂ、１０５ｃ、１０５ｄ、１１５ｂ、１１５ｃ及び１１５ｄ等についても同様のことが言える。【００９９】
また、図４及び図５に示すボーダーエリアを用いてデータを記録する態様では、各ボーダーエリアに含まれる部分ユーザデータエリアが属するＲ＿Ｚｏｎｅが異なる。即ち、図４では、第１ボーダーエリアに含まれる部分ユーザデータエリア１０５ａ及び１１５ａはＲ＿Ｚｏｎｅ＃２に属し、第２ボーダーエリアに含まれる部分ユーザデータエリア１０５ｂ及び１１５ｂはＲ＿Ｚｏｎｅ＃３に属する。また、図５では、第１ボーダーエリアに含まれる部分ユーザデータエリア１０５ａ及び１１５ａはＲ＿Ｚｏｎｅ＃２に属し、第２ボーダーエリアに含まれる部分ユーザデータエリア１０５ｂ及び１１５ｂはＲ＿Ｚｏｎｅ＃３に属し、第３ボーダーエリアに含まれる部分ユーザデータエリア１０５ｃ及び１１５ｃはＲ＿Ｚｏｎｅ＃４に属する。このようにユーザデータエリア１０５（１１５）上において、より複数のＲ＿Ｚｏｎｅを設けるように構成してもよい。もちろん、ボーダーエリアを用いてデータを記録する態様に限らず、ユーザデータエリア１０５（１１５）上において、より複数のＲ＿Ｚｏｎｅを設けるように構成してもよい。この複数のＲ＿Ｚｏｎｅを設ける態様について、図６を参照してより詳細に説明する。ここに、図６は、複数のＲ＿Ｚｏｎｅがユーザデータエリア１０５（１１５）上に設けられている光ディスク１００ａを示すデータ構造図である。【０１００】
図６に示すように、ユーザデータエリア１０５（１１５）上において、２つのＲ＿Ｚｏｎｅ＃２とＲ＿Ｚｏｎｅ＃３とを割り当ててもよい。この場合、Ｒ＿Ｚｏｎｅ＃２内における記録区画とＲ＿Ｚｏｎｅ＃３内における記録区画とは、必ずしもそのサイズが同一或いは略同一でなくともよい。即ち、Ｒ＿Ｚｏｎｅ＃２内における部分ユーザデータエリア１０５ａ（或いは、１０５ｂ、１０５ｃ、１１５ａ、１１５ｂ及び１１５ｃ）のサイズと、Ｒ＿Ｚｏｎｅ＃３内における部分ユーザデータエリア１０５ｄ（或いは、１０５ｅ、１０５ｆ、１１５ｄ、１１５ｅ及び１１５ｆ）のサイズとは、必ずしも同一或いは略同一でなくともよい。但し、Ｒ＿Ｚｏｎｅ＃２内における第１記録区画と第２記録区画との夫々のサイズは同一或いは略同一であり、またＲ＿Ｚｏｎｅ＃３内における第３記録区画と第４記録区画との夫々のサイズは同一或いは略同一である。即ち、Ｒ＿Ｚｏｎｅ＃２内における部分ユーザデータエリア１０５ａ、１０５ｂ、１０５ｃ、１１５ａ、１１５ｂ及び１１５ｃの夫々のサイズは同一或いは略同一であり、またＲ＿Ｚｏｎｅ＃３内における部分ユーザデータエリア１０５ｄ、１０５ｅ、１０５ｆ、１１５ｄ、１１５ｅ及び１１５ｆの夫々のサイズは同一或いは略同一である。【０１０１】
この場合、Ｒ＿Ｚｏｎｅ＃２に対応するＲＭＤとＲ＿Ｚｏｎｅ＃３に対応するＲＭＤとの夫々がＲＭＡ１０４（１１４）に記録される。即ち、Ｒ＿Ｚｏｎｅ＃２に対応するレイヤジャンプインターバル１２１と、Ｒ＿Ｚｏｎｅ＃３に対応するレイヤジャンプインターバル１２１との夫々が、ＲＭＡ１０４（１１４）に記録される。【０１０２】
このように構成しても、夫々のＲ＿Ｚｏｎｅ毎には、上述したディスク１００と同様の構成を有しているため、上述した各種利益を享受することができる。【０１０３】
尚、ユーザデータエリア１０５（１１５）上におけるＲ＿Ｚｏｎｅの数は、上述した２つや３つに限られるものではなく、更に多くともよい。この場合であっても、Ｒ＿Ｚｏｎｅ毎に上述した光ディスク１００と同様の構成を採用することで、上述した各種利益を享受することができる。【０１０４】
（情報記録装置）
次に図７から図１０を参照して、本発明の情報記録装置に係る実施例としての情報記録再生装置の構成及び動作について説明する。【０１０５】
（１）基本構成
先ず、図７を参照して、本実施例に係る情報記録再生装置２００の基本的構成について説明する。ここに、図７は、本実施例に係る情報記録再生装置２００の基本的な構成を概念的に示すブロック図である。尚、情報記録再生装置２００は、光ディスク１００に記録データを記録する機能と、光ディスク１００に記録された記録データを再生する機能とを備える。【０１０６】
図７に示すように、情報記録再生装置２００は、実際に光ディスク１００がローディングされ且つデータの記録やデータの再生が行なわれるディスクドライブ３００と、該ディスクドライブ３００に対するデータの記録及び再生を制御するパーソナルコンピュータ等のホストコンピュータ４００とを備えている。【０１０７】
ディスクドライブ３００は、光ディスク１００、スピンドルモータ３５１、光ピックアップ３５２、信号記録再生手段３５３、ＣＰＵ（ドライブ制御手段）３５４、メモリ３５５、データ入出力制御手段３０６、及びバス３５７を備えて構成されている。また、ホストコンピュータ４００は、ＣＰＵ３５９、メモリ３６０、操作／表示制御手段３０７、操作ボタン３１０、表示パネル３１１、及びデータ入出力制御手段３０８を備えて構成される。【０１０８】
スピンドルモータ３５１は光ディスク１００を回転及び停止させるもので、光ディスク１００へのアクセス時に動作する。より詳細には、スピンドルモータ３５１は、図示しないサーボユニット等によりスピンドルサーボを受けつつ所定速度で光ディスク１００を回転及び停止させるように構成されている。【０１０９】
光ピックアップ３５２は、本発明における「記録手段の」一具体例を構成しており、光ディスク１００への記録再生を行うために、例えば半導体レーザ装置とレンズ等から構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。【０１１０】
信号記録再生手段３５３は、スピンドルモータ３５１と光ピックアップ３５２を制御することで光ディスク１００に対して記録再生を行う。より具体的には、信号記録再生手段３５３は、例えば、レーザダイオードドライバ（ＬＤドライバ）及びヘッドアンプ等によって構成されている。レーザダイオードドライバは、光ピックアップ３５２内に設けられた図示しない半導体レーザを駆動する。ヘッドアンプは、光ピックアップ３５２の出力信号、即ち、光ビームの反射光を増幅し、該増幅した信号を出力する。より詳細には、信号記録再生手段３５３は、ＯＰＣ処理時には、ＣＰＵ３５４の制御下で、図示しないタイミング生成器等と共に、ＯＰＣパターンの記録及び再生処理により最適なレーザパワーの決定が行えるように、光ピックアップ３５２内に設けられた図示しない半導体レーザを駆動する。【０１１１】
メモリ３５５は、記録再生データのバッファ領域や、信号記録再生手段３５３で使用出来るデータに変換する時の中間バッファとして使用される領域などディスクドライブ３００におけるデータ処理全般及びＯＰＣ処理において使用される。また、メモリ３５５はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。【０１１２】
ＣＰＵ（ドライブ制御手段）３５４は、信号記録再生手段３５３及びメモリ３５５と、バス３５７を介して接続され、各種制御手段に指示を行うことで、ディスクドライブ３００全体の制御を行う。通常、ＣＰＵ３５４が動作するためのソフトウェア又はファームウェアは、メモリ３５５に格納されている。【０１１３】
データ入出力制御手段３０６は、ディスクドライブ３００に対する外部からのデータ入出力を制御し、メモリ３５５上のデータバッファへの格納及び取り出しを行う。ディスクドライブ３００とＳＣＳＩや、ＡＴＡＰＩなどのインタフェースを介して接続されている外部のホストコンピュータ４００から発行されるドライブ制御命令は、データ入出力制御手段３０６を介してＣＰＵ３５４に伝達される。また、記録再生データも同様にデータ入出力制御手段３０６を介して、ホストコンピュータ４００とやり取りされる。【０１１４】
操作／表示制御手段３０７はホストコンピュータ４００に対する動作指示受付と表示を行うもので、例えば記録又は再生といった操作ボタン３１０による指示をＣＰＵ３５９に伝える。ＣＰＵ３５９は、操作／表示制御手段３０７からの指示情報を元に、データ入出力制御手段３０８を介して、ディスクドライブ３００に対して制御命令（コマンド）を送信し、ディスクドライブ３００全体を制御する。同様に、ＣＰＵ３５９は、ディスクドライブ３００に対して、動作状態をホストに送信するように要求するコマンドを送信することができる。これにより、記録中や再生中といったディスクドライブ３００の動作状態が把握できるためＣＰＵ３５９は、操作／表示制御手段３０７を介して蛍光管やＬＣＤなどの表示パネル３１１にディスクドライブ３００の動作状態を出力することができる。【０１１５】
メモリ３６０は、ホストコンピュータ４００が使用する内部記憶装置であり、例えばＢＩＯＳ（Basic Input／Output System)等のファームウェアプログラムが格納されるＲＯＭ領域、オペレーティングシステムや、アプリケーションプログラム等の動作に必要な変数等が格納されるＲＡＭ領域などから構成される。また、データ入出力制御手段３０８を介して、図示しないハードディスク等の外部記憶装置に接続されていてもよい。【０１１６】
以上説明した、ディスクドライブ３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ３６０に格納されたプログラムをＣＰＵ３５９で実行させることでレコーダ機器としての動作を行っている。また、別の具体例では、ディスクドライブ３００はディスクドライブ（以下、適宜ドライブと称す）であり、ホストコンピュータ４００はパーソナルコンピュータやワークステーションである。パーソナルコンピュータ等のホストコンピュータとドライブはＳＣＳＩやＡＴＡＰＩといったデータ入出力制御手段３０６及び３０８を介して接続されており、ホストコンピュータ４００にインストールされているライティングソフトウェア等のアプリケーションが、ディスクドライブ３００を制御する。【０１１７】
（２）動作原理
続いて、図８から図１０を参照して、本実施例に係る情報記録再生装置２００の記録動作について説明する。ここに、図８は、本実施例に係る情報記録再生装置２００の記録動作全体の流れを概念的に示すフローチャートであり、図９及び図１０は夫々、記録動作の過程を示すデータ構造図である。【０１１８】
図８に示すように、先ず光ディスク１００がディスクドライブ３００にローディングされる（ステップＳ１０１）。このとき、ＰＣＡ１０３（１１３）を用いてＯＰＣ処理を行なうことで、データの記録に最適なレーザパワーを算出するように構成してもよいし、或いはデータの記録に必要な各種制御データを読み込むように構成してもよい。【０１１９】
続いて、ホストコンピュータ４００は、本発明における「第１制御手段」の一具体例を構成するＣＰＵ３５９の制御の下に、記録モードを、レイヤジャンプ記録モード（交互記録モード）に設定する（ステップＳ１０２）。レイヤジャンプ記録モードに設定することで、上述の如く記録区画毎にデータを記録することが可能となる。【０１２０】
続いて、ホストコンピュータ４００は、光ディスク１００上の記録エリアに対して、ファイルシステム情報１０１（１１１）を記録するためのオープンＲ＿Ｚｏｎｅ＃１を設定する（ステップＳ１０３）。【０１２１】
更にホストコンピュータ４００は、ＣＰＵ３５９の制御の下に、オープンＲ＿Ｚｏｎｅ＃１に続いて設定されるインビジブルＲ＿Ｚｏｎｅ＃２に対して、レイヤジャンプインターバル１２１を設定する（ステップＳ１０４）。例えば、レイヤジャンプインターバル１２１として、１０００ＥＣＣブロックを設定すれば、１０００ＥＣＣブロック毎にレイヤジャンプを行うようにデータの記録が行なわれる。即ち、１０００ＥＣＣブロックの部分ユーザデータエリアにデータを記録する毎にレイヤジャンプが行なわれる。【０１２２】
続いて、ホストコンピュータ４００は、ディスクドライブ３００に対してデータを実際に光ディスク１００へ記録する旨の命令を出力する（ステップＳ１０５）。【０１２３】
この命令を受けたディスクドライブ３００は、まず、本発明における「第２制御手段」の一具体例を構成するＣＰＵ３５４の制御の下に、ステップＳ１０３等において設定されたオープンＲ＿Ｚｏｎｅ＃１やインビジブルＲ＿Ｚｏｎｅ＃２の構造を示す情報、ステップＳ１０４において設定されたレイヤジャンプインターバル１２１等を、ＲＭＤとしてＲＭＡ１０４（１１４）に記録する（ステップＳ１０６）。【０１２４】
その後、実際にデータの記録が行なわれる（ステップＳ１０７）。即ち、記録区画の単位毎にデータの記録が行なわれる。【０１２５】
例えば図９に示すように、まず第１記録区画に図中の矢印の方向に沿ってデータが記録される。即ち、第１記録区画の部分ユーザデータエリア１０５ａにデータ（ＵＤ１０）が記録され、その後、第１記録区画の部分ユーザデータエリア１１５ａにデータ（ＵＤ１１）が記録される。続いて第２記録区画に図中の矢印の方向に沿ってデータが記録される。即ち、第２記録区画の部分ユーザデータエリア１０５ｂにデータ（ＵＤ２０）が記録され、その後、第２記録区画の部分ユーザデータエリア１１５ｂにデータ（ＵＤ２１）が記録される。更に第３記録区画に図中の矢印に沿ってデータが記録される。即ち、第３記録区画の部分ユーザデータエリア１０５ｃにデータ（ＵＤ３０）が記録され、その後、第３記録区画の部分ユーザデータエリア１１５ｃにデータ（ＵＤ３１）が記録される。このとき、各記録区画のサイズ（即ち、各記録区画の部分ユーザデータエリア１０５ａ、１０５ｂ、１０５ｃ、１１５ａ、１１５ｂ及び１１５ｃの夫々のサイズ）は、図８のステップＳ１０４において設定されたレイヤジャンプインターバル１２１が示すサイズとなる。即ち、図８のステップＳ１０４において設定されたレイヤジャンプインターバル１２１毎にレイヤジャンプを行なうことで、図９に示すような記録区画の単位毎にデータが記録される。【０１２６】
再び図８において、データの記録が終了後、ホストコンピュータ４００は、レイヤジャンプインターバル１２１等に基づいてファイルシステム情報１０１（１１１）を作成する（ステップＳ１０８）。このファイルシステム情報１０１（１１１）には、光ディスク１００上におけるデータ構造（特に、各記録区画の構造等）等を示す情報を含んでいる。そして、作成されたファイルシステム情報１０１（１１１）が、ステップＳ１０２において設定されたオープンＲ＿Ｚｏｎｅ＃１へ記録される。【０１２７】
その後、ホストコンピュータ４００は、ファイナライズ処理を行なう（ステップＳ１０９）。ファイナライズ処理とは、例えばＤＶＤ−Ｒ／ＲＷレコーダ等の情報記録装置により記録された光ディスクを、例えばＤＶＤ−ＲＯＭプレーヤ等の情報再生装置において再生できるようにするための処理である。【０１２８】
具体的には、図１０に示すように、リードインエリア（ＬＩ）１０２やリードアウトエリア（ＬＯ）１１８に必要な各種管理情報等を記録する。そして、データが記録されたエリアの最外周側にミドルエリア（ＭＡ）１０９及び１１９を作成する。このミドルエリア１０９及び１１９には、例えば“００ｈ”データが記録される。更に、第３記録区画の部分ユーザデータエリア１１５ｃの全体にデータが記録されていない（データが未記録の記録エリアが存在する）ため、データが記録されていない記録エリアに対してパディングデータ（ＰＤ）を記録する。尚、パディングデータは例えば“００ｈ”データである。但し、パディングデータとしては、何らかの記録ピットが形成されるものであればこれに限定されるものではない。上述のミドルエリア１０９（１１９）等に記録される“００ｈ”データに関しても同様である。【０１２９】
ここで、仮にＬ０層の全体にデータを記録した後、Ｌ１層にデータを記録する場合には、データが記録されていないエリアにダミーデータを記録する必要がある。これは、ＤＶＤ−ＲＯＭ等の再生専用プレーヤとの互換性を保つために必要な処理である。従って、例えばＬ０層及びＬ１層の夫々が４ＧＢの記録容量を有している光ディスクに５ＧＢのデータを記録する場合、Ｌ０層に４ＧＢのデータが記録され、Ｌ１層に１ＧＢのデータが記録される。この場合、ファイナライズ処理の際に、Ｌ１層の残り３ＧＢ分の空きエリアにダミーデータを記録する必要がある。これは、ファイナライズ処理に要する時間の増加につながっていた。【０１３０】
しかるに、本実施例では、Ｌ０層とＬ１層との夫々には概ね均等のデータが記録される。即ち、Ｌ０層とＬ１層との夫々の概ね同一の半径位置までデータが記録されていることとなる。例えばＬ０層及びＬ１層の夫々が４ＧＢの記録容量を有している光ディスクに５ＧＢのデータを記録する場合、Ｌ０層及びＬ１層の夫々に２．５ＧＢのデータが記録される。従って、データが記録されている最外周のエリアにミドルエリアを作成すれば、上述の如き未記録領域へのダミーデータの記録は必要ない。このため、ファイナライズ処理に要する時間を短縮することができるという大きな利点を有している。【０１３１】
そして、各記録区画のサイズが同一或いは略同一であるがゆえに、記録の対象となる記録層が切り替わる地点（レイヤジャンプポイント）をディスクドライブ３００やホストコンピュータ４００が記録していなくとも、各記録区画を比較的容易に認識することができる。そして、各記録区画のサイズが同一或いは略同一であるがゆえに、一度ＲＭＡ１０４（１１４）にレイヤジャンプインターバル１２１を記録すれば足りる。即ち、記録の対象となる記録層が切り替わる毎にＲＭＤを記録する必要もなく、ＲＭＡ１０４（１１４）のうち記録可能な記録エリアがなくなってしまうという不都合も生じない。このため、記録動作を継続して行うことができる。【０１３２】
そして、ファイナライズ処理を行う前に光ディスク１００をディスクドライブ３００からイジェクトしたとしても、ＲＭＡ１０４（１１４）に記録されているレイヤジャンプインターバル１２１を参照すれば、データが各記録層に交互に記録されていても、光ディスク１００上のデータ構造（特に、各記録区画の構造）を好適に認識することができる。即ち、レイヤジャンプインターバル１２１から、各記録区画のサイズを取得することができるため、ホストコンピュータ４００上において（或いは、ディスクドライブ３００上において）所定の演算処理を実行すれば、光ディスク１００上のデータ構造（特に、各記録層のデータ構造）を好適に且つ比較的容易に認識することができる。【０１３３】
また、上述の如く同一の或いは略同一の（即ち、固定長サイズの）記録区画にデータを記録する手法について簡単に説明する。この場合、例えば記録動作において記録すべきデータのサイズが記録区画のサイズよりも大きいか否かが判定される。【０１３４】
この判定の結果、記録区画のサイズの方が大きいと判定された場合、記録区画の一部に記録すべきデータが記録される。【０１３５】
他方、記録すべきデータのサイズの方が大きいと判定された場合、一の記録区画の全体に記録すべきデータの一部が記録される。続いて、他の記録区画の一部に、未記録である残りの記録すべきデータが記録される。より具体的には、各記録区画のサイズが１０ＭＢであり、記録すべきデータが１５ＭＢである場合には、一の記録区画に１０ＭＢ分のデータが記録され、他の記録区画には、５ＭＢ分のデータが記録される。もちろん、２つの記録区画の合計サイズよりも大きいデータを記録する場合には、一の記録区画及び他の記録区画の全体に当該データの一部を記録し、更に他の記録区画に残りのデータを記録するようにしてもよい。【０１３６】
また、図４及び図５において詳述したように、ボーダーエリアとしてデータを記録する場合には、各ボーダーエリアへのデータの記録が終了する毎に、ボーダークローズ処理が行なわれる。即ち、ボーダーインエリア１０６（１１６）やボーダーアウトエリア１０７（１１７）が形成される。ボーダーインエリア１０６（１１６）及びボーダーアウトエリア１０７（１１７）に各種管理情報等が記録されていれば、光ディスクのマルチボーダー構造を認識することができるＤＶＤ−ＲＯＭプレーヤであれば再生することは可能である。【０１３７】
また、上述の実施例では、情報記録媒体の一例として光ディスク１００及び情報記録装置の一例として光ディスク１００に係るレコーダについて説明したが、本発明は、光ディスク及びそのレコーダに限られるものではなく、他の高密度記録或いは高転送レート対応の各種情報記録媒体並びにそのレコーダにも適用可能である。【０１３８】
本発明は、上述した実施例に限られるものではなく、請求の範囲及び明細書全体から読み取れる発明の要旨或いは思想に反しない範囲で適宜変更可能であり、そのような変更を伴なう情報記録媒体、情報記録装置及び方法、並びに記録制御用のコンピュータプログラムもまた本発明の技術的範囲に含まれるものである。
【産業上の利用可能性】
【０１３９】
本発明に係る情報記録媒体、情報記録装置及び方法、コンピュータプログラムは、例えば、ＤＶＤ等の高密度光ディスクに利用可能であり、更に、ＤＶＤレコーダ等の情報記録装置に利用可能である。また、例えば民生用或いは業務用の各種コンピュータ機器に搭載される又は各種コンピュータ機器に接続可能な情報記録装置等にも利用可能である。
【図１】
0004488316.tif 000002
【図２】
0004488316.tif 000003
【図３】
0004488316.tif 000004
【図４】
0004488316.tif 000005
【図５】
0004488316.tif 000006
【図６】
0004488316.tif 000007
【図７】
0004488316.tif 000008
【図８】
0004488316.tif 000009
【図９】
0004488316.tif 000010
【図１０】
0004488316.tif 000011